(57)【要約】      （修正有）【課題】タブレット端末用のホルダーを提供する。【解決手段】箱状等の支持台状で外形が保持するタブレット端末の外形より小さいベースブロック１であって、該ベースブロック１は、その背面が壁面に固定される取付面であると共に前面が前記タブレット端末の支持面として該タブレット端末の保持構造を着脱可能に具備しており、該タブレット端末の保持構造は、前記ベースブロックの外形に見合う角穴を中心部に形成して前記ベースブロックの支持面に取り付けられるベース板２と、該ベース板の前面に配置される前記端末の画面大きさに見合う画面用角穴が形成された表面板と、該表面板と前記ベース板との間の四隅に配置され当該ベース板と表面板に挟持されるスペーサを備えて形成され、前記タブレット端末は、前記ベース板と表面板の間に、前記スペーサに囲まれて挟持される。【選択図】図１
2015169759.tif 000002
【特許請求の範囲】
【請求項１】
会議室等の部屋の入口近傍の壁面に取付けられる大略箱状等の支持台状をなし外形が保持するタブレット端末の外形より小さいベースブロックであって、該ベースブロックは、その背面が前記壁面に固定される取付面であると共に、前面が前記タブレット端末の支持面として該タブレット端末の保持構造を着脱可能に具備しており、該タブレット端末の保持構造は、前記ベースブロックの外形に見合う大きさの角穴を中心部に形成して前記ベースブロックの前面に取り付けられるベース板と、該ベース板の前面に配置される前記端末画面に見合う大きさの画面用角穴を形成した表面板と、該表面板と前記ベース板との間の四隅に配置してベース板と表面板に挟持されるスペーサを備えて形成され、タブレット型端末は、前記ベース板と表面板の間に、前記スペーサに囲まれて挟持されるようにしたことを特徴とする部屋入口に設置される端末ホルダー。
【請求項２】
ベースブロックは、その底壁に、電源用コードを壁面側から引き込むためのコード穴と引き込まれたコードを挟持して保持する切込みが、前記コード穴と切込みの輪郭を連続して形成されていると共に前記ベースブロックを前記壁面に固定するためのビス穴が底壁の四隅近傍に設けられている一方、前記ベースブロックの左右側壁が前面側の外側に９０度折り曲げられてビス穴を有する翼状片に形成された請求項１に記載の端末ホルダー。
【請求項３】
ベース板は、前記タブレット端末の外形より一回り大きい程度の外形を有し、中央部位に前記ベースブロックの本体部に見合う大きさの角穴が形成されている一方、当該ベース板は、前記角穴の周囲に、前記ベースブロックの翼状片に設けたビス穴と同軸をなすビス穴が設けられていると共に、四隅近傍に、後述するスペーサを結合して保持するためのスペーサ結合用凸部と該結合用凸部の近傍に設けたビス穴とを具備する請求項1又は２に記載の端末ホルダー。
【請求項４】
ベース板の角穴の周囲のビス穴における左右側上下のビス穴の間には、前記端末に密着するために適宜厚さのテープ状の厚さ調整材が設けられていると共に、このベース板の左右側辺の中間部位には、このベース板の内部に向かって伸びた水平向きのスリットが設けられた請求項３に記載の端末ホルダー。
【請求項５】
ベース板前面の四隅近傍に立設したスペーサ結合用凸部には、保持する端末の厚さに見合う厚さを有するブロック状のスペーサが、該スペーサの裏面に設けた前記スペーサ結合用凸部の嵌入穴において結合されることにより、ベース板前面の四隅近傍に配置される請求項１〜４のいずれかに記載の端末ホルダー。
【請求項６】
表面板は、その外形がベース板の外形と略同一であり、中央部位に保持する端末の画面と好ましくは略同等乃至僅かに大きいか小さい程度の画面用角穴が形成され、四隅近傍には、ベース板のスペーサ結合用凸部の近傍に設けたビス穴と同軸上ビス穴が設けられた請求項１〜５のいずれかに記載の端末ホルダー。
【請求項７】
表面板における画面用角穴の脇であって保持する端末の操作用スイッチに対応する位置に棒状治具を挿入できる小孔を透設した請求項６に記載の端末ホルダー。
【発明の詳細な説明】
【技術分野】
【０００１】
本発明は、会議室予約システム等のような特定範囲の人又は不特定の人が複数の部屋の中からいずれかの部屋を使用することについて、予約をしたり解約をしたりするなど、前記各部屋の使用に関する管理運用のための、例えば予約システムにおいて、各部屋の入口近傍に設置される、表示装置を兼ねたタブレット型コンピュータ（以下、「タブレット型端末」、又は、単に「端末」ともいう）を着脱可能に装着して保持するための端末ホルダーに関する。
【背景技術】
【０００２】
従来より、複数の会議室や貸室などの部屋を使用したり借用したりするための予約システムが特許文献１や２などにより知られているが、このような部屋の予約システムにおいては、各部屋の現時点の状況、例えば使用中なのか空いているのか、或は使用予約が入っているのか等を表示したり、あるいはその部屋を使用する者が部屋に入るときの本人確認やその登録などのほか、使用開始等の情報を管理センターに通知する入力をするために、各部屋の入口の脇などにタブレット型端末が設けられている。
【０００３】
上記の入口近傍に設けられるタブレット端末は、悪戯操作されたり持ち去られないようにするために、タッチ式の入力画面を兼ねた表示画面のみを露出させて他の部位はカバーされた態様で枠状のホルダーに保持させて入口近くの壁面に設置されているが、このような端末ホルダーでは、様々な問題を抱えたままで設置されているのが現状である。
【０００４】
すなわち、タブレット型端末は、表示画面（入力画面）が同サイズであってもメーカーの違いによって筐体（端末本体）の大きさが微妙に異なっており、また、同一メーカーの端末でも機種によって画面サイズが異なりそれが筐体の大きさに反映されているため、このような様々な態様のサイズ違いに対応するには、使用する端末のサイズ毎に異なるホルダーを準備しなければならなかった。
また、サイズ違いの問題だけではなく、各端末はその操作系が端末筐体の外周面に設置されるという独自設計やメーカーや機種によっても操作系の配置が異なる等の相違点もあるため、端末ホルダーではこれらの点も吸収できるフレキシビリティーな構造が求められる。
【先行技術文献】
【特許文献】
【０００５】
【特許文献１】特開２０１３−２０３６８号公報
【特許文献２】特開２００２−２５９８５０号公報
【発明の概要】
【発明が解決しようとする課題】
【０００６】
そこで本発明は、メーカーや機種の違いによって生じている端末筐体の大きさの違いや、画面大きさの違いと画面の大きさによる筐体サイズの違いに一つのホルダーで対応できるのみならず、タブレット型端末に独自態様で設置された操作系にも対応することができるタブレット端末用のホルダーを提供することを、その課題とする。
【課題を解決するための手段】
【０００７】
上記課題を解決することを目的としてなされた本発明端末ホルダーの構成は、会議室等の部屋の入口近傍の壁面に取付けられる大略箱状等の支持台状で外形が保持するタブレット端末の外形より小さいベースブロックであって、該ベースブロックは、その背面が前記壁面に固定される取付面であると共に前面が前記タブレット端末の支持面として該タブレット端末の保持構造を着脱可能に具備しており、該タブレット端末の保持構造は、前記ベースブロックの外形に見合う角穴を中心部に形成して前記ベースブロックの支持面に取り付けられるベース板と、該ベース板の前面に配置される前記端末の画面大きさに見合う画面用角穴が形成された表面板と、該表面板と前記ベース板との間の四隅に配置され当該ベース板と表面板に挟持されるスペーサを備えて形成され、前記タブレット端末は、前記ベース板と表面板の間に、前記スペーサに囲まれて挟持されるようにしたことを特徴とするものである。
【０００８】
本発明端末ホルダーにおいては、支持台状のベースブロックの底壁は壁面への取付面となり、当該底壁には、電源用コードを間仕切りを含む壁面側から引き込むためのコード穴と、引き込んだコードを保持する切込みによるコード挟持部が、前記コード穴の輪郭に連続して形成されている。前記底壁には、このブロックを壁面に固定するためのビス穴が四隅の４箇所に設けられている。一方、ベースブロックの前面例（前記底壁の反対側）には、左右の側壁を外側に90°折り曲げた翼状片が支持面として形成され、該翼状片には後述するベース板を固定するためのビス穴が設けられている。なお、前記の左右の翼状片と左右の側壁の境界部位（折り曲げ部）には、コードを通すための角穴が設けられている。
【０００９】
前記ベースブロックの前面には、その翼状片を支持面として取り付けられる、上記タブレット型端末の保持構造におけるベース板が設けられる。このベース板は、本発明端末ホルダ―が保持するタブレット型端末の外形より一回り程度大きい外形を有し、中央部位に前記ベースブロック本体の外形と同程度の大きさの角穴が形成されている。
一方、このベース板には、前記ベースブロックの翼状片（支持面）に設けたビス穴に皿ビスを入れて捩じ込むためのビス穴が、前記角穴の左右側辺の外側に４個設けられている。左右側のビス穴において、上下のビス穴の間には、挟持する複数種の端末の厚さの微小な違いを埋めて（調整して）各端末をきちっと保持するための調整材として、適宜厚さのテープ状部材が配設されており、該部材は、緩衝材としての作用もある。このベース板の左右側辺の高さ方向の中間部位には、当該ベース板の内部に向かって伸びた水平向きのスリットがタブレット端末コード通し部として設けられている。スリットの深さは、ベース板が取り付けられたベースブロックの翼状片の外側近くまである。
他方、このベース板の前面には、その四隅の近傍に、後述するスペーサに結合するための左右に並ぶ２本を１組とするスペーサ結合用ピンと、この２本ピンの間に透設した後述する表面板から捩じ込まれる皿ビスが螺入されるネジ穴とが設けられている。
【００１０】
前記ベース板の前面の四隅近傍に立設した２本１組のピンには、保持する端末の厚さに見合う厚さを有するブロック状のスペーサが、当該スペーサの裏面（背面）に設けた２個のピン穴において結合され、ベース板前面の四隅に配置されるようになっている。従って、ベース板に配置されるスペーサは４個である。各スペーサの２個のピン穴の間には、後述する表面板から挿入されてベース板のビス穴に捩じ込まれるビスが貫通するビス貫通孔が設けられている。なお、スペーサの平面形状は後述する実施例の形状に限られるものではない。スペーサは、その厚さが保持するタブレット端末の厚さに見合ったものであると共に、平面形状が保持する当該端末の隅部の外輪郭に沿えるものであれば、形状は任意である。
【００１１】
ベースブロックの翼状片にビス止めにより取り付けられ、前面略四隅にスペーサがピン結合で装着されたベース板には、保持したい端末がその四隅で前記スペーサに囲まれた態様で配置される。そしてその端末の上から表面板を配置して、当該表面版の四隅近傍に設けた皿ビス用のビス穴から皿ビスを、スペーサの貫通孔を通してベース板のビス穴（２本のピンの間のビス穴）に捩じ込む。これによって保持したい端末が、その正面サイドは画面を露出させて保持されることになるが、保持された端末は、その全周の側面（厚みサイド）がベース板と表面板の間で外部に露出した保持態様になる。
上記態様での端末保持を実現するため、表面板は、その外形がベース板の外形と略同一に形成されており、当該表面板の中央部位には保持する端末の画面を見たりタッチ操作するために好ましくは当該画面と略同等乃至同等でなくとも僅かに大きいか小さい程度の角穴が形成されている。
また、表面板の四隅近傍には、前記ベース板における２本のピンの間に設けられたビス穴と同軸上にここでは皿ビス用のビス穴が設けられている。さらに、前記表面板の角穴の左右の脇には小孔が透設されている。この小孔は保持した端末の筐体の内部に設置された操作ボタンを細い棒やピンを入れて押し操作する（例えばホーム画面に戻す等）ための孔である。なお、保持する端末の機種によって設ける小孔の位置は異なる。また、表面板はベース板の厚さより十分に小さくしている。端末の厚さがスペーサの厚さよりわずかに大きい場合でも該表面板が撓んで対応できるようにするためである。表面板の厚さをより大きくするかどうかは任意である。
【発明の効果】
【００１２】
本発明端末ホルダーは、部屋の入口近傍の壁面に取付けられる大略箱状等の支持台状で外形が保持するタブレット端末の外形より小さい外形のベースブロックであって、該ベースブロックは、その背面が前記壁面に固定される取付面であると共に前面が前記タブレット端末の支持面として該タブレット端末の保持構造を着脱可能に具備しており、該タブレット端末の保持構造は、前記ベースブロックの大きさに見合う角穴を中心部に形成して前記ベースブロックの支持面に取り付けられるベース板と、該ベース板の前面に配置される前記端末の画面大きさに見合う角穴が形成された表面板と、該表面板とベース板との間の四隅に配置され当該ベース板と表面板に挟持される交換可能なスペーサを備えて形成され、前記タブレット端末は、前記ベース板と表面板の間に、前記スペーサに囲まれて挟持されるように形成したから、メーカーや機種の違いなどによって保持する端末に筐体大きさの違いがあっても、スペーサを交換して複数種のタブレット端末であっても一台のホルダーで保持し、これらの端末を部屋入口近傍に設置することが可能である。
また、本発明ホルダーが保持した端末は、その全外周の側面が、ベース板と表面板の間で、外部に向けて全て開放されているので、外周側面上に操作ボタン等が設けられたタブレット端末をホルダーに保持したままでも、外部から操作できる利点がある。
さらには、保持する端末が変わってもスペーサを変更するだけで筐体大きさに違いがある端末に対応することができるから便利であるのみならず、端末ホルダー全体を変更する必要がないから経済的でもある。
【図面の簡単な説明】
【００１３】
【図１】本発明端末ホルダーの一例の斜視図。
【図２】図１の端末ホルダーの正面図。
【図３】図１の端末ホルダーの背面図。
【図４】図１のＡ−Ａ線矢視の本発明端末ホルダーを壁面に取付けた状態の断面図。
【図５】図１のＢ−Ｂ線矢視の本発明端末ホルダーを壁面に取付けた状態の断面図。
【図６】本発明端末ホルダーのベースブロックの一例の斜視図。
【図７】本発明端末ホルダーのベース板の一例の斜視図。
【図８】本発明端末ホルダーのスペーサの一例の拡大斜視図。
【図９】本発明端末ホルダーの表面板の一例の斜視図。
【発明を実施するための形態】
【００１４】
次に本発明の実施の形態例について、図を参照して説明する。
図１〜図８に例示した本発明端末ホルダーＥＨとその構成部材（部品）において、図６に示した１は支持台状のベースブロックであり、ここでは板金製で前面が開放された略箱状本体１ａを主要部として形成され、開放側の左右側壁１ｂ，１ｃを延長形成して90度外側に折り曲げた翼状片１１ｂ，１１ｃを支持面として具備している。翼状片１１ｂ、１１ｃは箱状本体１ａの底壁１ｄと平行である。該底壁１ｄは、部屋入口の壁面Ｗへの取付面であると共に、その中央部位に電源用コードＳＣなどを前記壁面Ｗ側から本体１ａ内に引き込むコード穴１１ｄが形成されている。ここでは丸いコード穴１１ｄの上、下に連続して引き込まれた前記コードＳＣを挟持して保持するため前記コードＳＣの太さに見合ったスリット状のコード挟持部１２ｄが形成されている。前記電源用コードＳＣは、メス型コンセントＪＣを具備しており、該コンセントＪＣには図示しないＡＣアダプタの入力プラグが接続される。なお、コード穴１１は角穴でもよい。また、ベースブロック１は板金製のほか合成樹脂製やその他の板材製であってもよい。さらにベースブロック１には箱状本体１ａに代え平面から見た断面形状が大略凹状をなすブラケット状本体を使用してもよい。
【００１５】
図６のベースブロック１において、箱状本体１ａにおける底壁１ｄの四隅近傍には、本発明端末ホルダーＥＨを入口近傍の壁面Ｗにビス止めするための４個のビス穴１３ｄが設けられている。一方、左右の翼状片１１ｂと１１ｃの上、下部には、後述するベース板２を取り付けるためのビス穴に１２ｂと１２ｃが設けられている。また、側壁１ｂ，１ｃと翼状片１１ｂ，１１ｃの境界部には、端末ＴＣに接続されるコード通し穴として四角形状のコード通し穴１３ｂ，１３ｃが設けられている。
【００１６】
前記ベースブロック１において、箱状本体１ａの深さ（側壁１ｂ，１ｃの深さ方向での高さ）は、該箱状本体１ａの内部にＡＣアダプタや余長コードなど（図示せず）を収容するのに支障がない深さを担保している。なお、図示しないが、ベースブロック１に平断面形状が略凹状をなすブラケット状本体を用いる場合には左右の壁の上端側を延長して９０度折り曲げた翼状片に形成する。
また、前記箱状本体１ａに深さがあることによって、壁面Ｗにこの本体１ａを取付けたとき、翼状片１１ｂ，１１ｃの裏面と壁面Ｗとの間に、上記本体１ａの深さに見合った分のスペースが形成されるので、このスペースが後述するベース板２の裏面側から、保持した端末ＴＣの操作などをするために、指や工具類を挿入するための有効空間となる（図４、図５参照）。
【００１７】
図７は、前記ベースブロック１の翼状片１１ｂ，１１ｃの上に取付けられるベース板２の斜視図であり、当該ベース板２は、次の構成を具備している。
すなわち、ベース板２は、保持する端末ＴＣの外形より一回り大きい程度の外形を有すると共に、その中央部位に、前記箱状本体１ａの箱部分の大きさと略同等の大きさの角穴２ｂを設けた、左右の縁幅が少し広目の略額縁状を呈する板状体２ａにより形成されている。
【００１８】
前記板状体２ａの前面には、さらに次の構成が付与されている。
まず、前記角穴２ｂの左右側の外側には、上記ベースブロック１の翼状片１１ｂ、１１ｃに設けた４個のビス穴１２ｂ、１２ｃと同軸上に４個のビス穴２ｃが設けられている。左右側における上、下のビス穴２ｃ，２ｃの間には、合成樹脂製のテープ状シート材が緩衝材を兼ねた厚さ調整材２ｄ，２ｄとして設けられている。厚さ調整材２ｄは端末ＴＣとスペーサ３との微小ギャップを埋めるためのものである。
【００１９】
また、このベース板２の左右側縁において、高さ方向の中間部位に、縁の外側から内側に向けて水平方向のスリット２ｅ，２ｅが形成されている。さらに、このベース板２の四隅近傍には、左右に並んで１組をなす２本のピン２ｆ，２ｆが、後述するスペーサ結合用凸部の例としてベース板２の表面に突出して４組設けられている。加えて、各組の２本の結合用ピン２ｆと２ｆの中間には、それぞれビス穴２ｇが設けられている。ここで、スペーサ結合用凸部としては、前記ピン２ｆに代えて平断面形状が非対称形状のボスのような突起物で形成してもよい。
【００２０】
上記ベース板２は、前記ベースブロック１の翼状片１１ｂ，１１ｃの上に載せた形で当該ベース板２に設けた４個の皿ビス穴２ｃから夫々に皿ビス（図示せず）をベースブロック１の翼状片１１ｂ，１１ｃに設けた４個のビス穴１２ｂ，１２ｂと同１２ｃ，１２ｃに螺入して締結することにより、ベースブロック１の上に固定される。ベースブロック１に固定されたベース板２には、その四隅近傍に設けた４組の２本組の結合用ピン２ｆに、図８により後に説明するスペーサ３が着脱自在に結合されて夫々に配置される。このようにして４個のスペーサ３が四隅近傍に配置されたベース板２の上には、当該スペーサ３に囲まれる大きさ（平面視）で、厚みがこのスペーサ３と略同等のタブレット型端末ＴＣが載置される。配置される端末ＴＣに対しその上から図９により後に説明する表面板４が前記ベース板２にスペーサ３を介してビス止めされることにより、前記端末ＴＣをベース板２と表面板４の間に挟持して保持できることになる。
【００２１】
図８はスペーサ３の斜視図である。スペーサ３は正面から視て略横側Ｊ字状乃至Ｌ字状のここでは合成樹脂製のブロック体３ａで形成されており、ブロック体３ａ厚さは、ベース板２と表面板４の間に挟持される端末ＴＣの厚さとほぼ同等である。該ブロック体３ａには、前記２本のピン２ｆ，２ｆに嵌合する２つのピン穴３ｂ，３ｃが横並びに設けられていると共に、両ピン穴３ｂ，３ｃの間にベース板２の四隅近傍のビス穴２ｇと同軸上にビスが貫通するビス貫通穴３ｄが設けられている。３ｅはブロック体３ａにおいてピン穴３ｃの下方に形成された凹陥部で、端末ＴＣの筐体隅部に対応した窪みである。ピン穴３ｃは結合用凸部が前記のボス状であればそれを嵌合する凹部になる。
【００２２】
前記ブロック体３ａには、本発明端末ホルダーＥＨに保持される端末ＴＣの大きさの違いや、厚さの違いに対応するため、大きさや厚さが図示のものとは異なる態様のブロック体３ａが予め用意される。しかし、いずれの大きさ、厚さのブロック体３ａであっても、ピン穴３ｂ，３ｃとビス穴３ｄの位置とこれらの位置関係は変わらない。なお、ピン穴３ｃは横長の長円形に形成して２本の結合用ピン２ｆ，２ｆと２つのピン穴３ｄ，３ｃとの位置ズレがあってもそれを吸収できるようにしている。
【００２３】
図４は表面板４の斜視図である。表面板４は、ベース板２の外形と略同一の外形の板状本体４ａにより形成され、その中央部位には保持する端末ＴＣの画面と略同等ないしは僅かに小さい程度の矩形の画面用角穴４ｂが形成されている。前記板状本体４ａの四隅近傍には、前記ベース板２の四隅近傍に設けたビス穴２ｇの同軸上に、ここでは皿ビス用のビス穴４ｃが設けられている。なお、図の例では、前記板状本体４ａにおける前記角穴４ｂの左右側辺の外側中間部位に、当該板状本体４ａを貫通する孔が保持した端末の筐体内に設置されたリセットスイッチ等を押操作するための操作用小孔４ｄ，４ｄが設けられている。この孔４ｄは、保持する端末の仕様の違いなどによってその設置位置が任意に設定される。
【００２４】
以上に説明した翼状片１１ｂ、１１ｃの上にビスB１によって固定されたベース板２を具備したベースブロック１を、その箱状本体１ａの底壁１ｄの四隅に設けた４個のビス穴１３ｄにネジ（図示せず）を入れて捩じ込むことにより、部屋入口の適宜高さ（タッチ画面の操作性と画面表示の視認性の確保）の壁面Wに固定して設置する。ベースブロック１の設置において、その底壁１ｄと壁面Ｗの間には、防振材や制振材を挟持させることがある。ドアの開閉に伴う壁面の振動を本発明端末ホルダーに伝えにくくするためである。
この段階で壁面Ｗの側から電源コードをコード穴１１ｄから箱状本体１ａの内部に引き込み、必要であればコード挟持部１２ｄに引き込んだコードを挟んで保持する。
【００２５】
次に、使用する端末ＴＣの外形等に鑑みて選択されたスペーサ３を、そのピン穴３ｄ、３ｃをベース板２の四隅に設けた２本１組のスペーサ用の４組のピン２ｆ、２ｆに、各スペーサ３に形成した凹陥部３ｅをベース板２の中心側に向けた状態で、嵌合させることにより、４個のスペーサ３をベース板２の上に配置する。なお、スペーサ３は予め前記ベース板２に装着した状態で出荷されることがある。
【００２６】
スペーサ３がベース板２の上の四隅に配置できたら、そのスペーサ３に囲まれるようにしてタブレット型端末ＴＣをベース板２の上に仮に当てがい位置関係を確認しつつ、壁面Ｗから引き込んだ電源コードＳＣに接続されたＡＣアダプタの出力ケーブルの端子を前記端末ＴＣの電源入力端子に接続して電源を確保する。
【００２７】
設置する端末ＴＣの電源が確保されたら、該端末ＴＣの四隅の４個のスペーサ３に対する当りが均等になるように微調整し、この状態でこの端末ＴＣの前面側から表面板４を当てがい、その四隅のビス穴４ｃに皿ビスＢ２を挿入して、各スペーサ３のビス貫通穴３を貫通させてベース板２の四隅のビス穴２ｇに、それぞれ挿入した皿ビスＢ２を捩じ込み締結する。そうすると、前記端末ＴＣはベース板２と表面板４の間に挟持されて保持されることになる。この挟持態様において皿ビスＢ２の捩じ込みを強力に行っても、その締結力は四隅のスペーサ３が支持するから、端末ＴＣに及ぶことはない。なお、機種変更等によって端末の筐体サイズが変わったらそれに合うスペーサ３を選択して使用する。
【００２８】
このようにして部屋入口の壁面Ｗに本発明端末ホルダーＥＨに保持されて設置された端末ＴＣは、ホルダー正面からは、画面のみしか外部に露出していないので、正面からは画面のタッチ操作とその画面の表示内容を視認できるだけである。
【００２９】
しかし、本発明端末ホルダーＥＨでは、殆どのタブレット型端末ＴＣの外周面に設けられている操作系が、ベース板２と表面板４の間において外部に露出しているので、設置されている端末ＴＣの設定内容を変更するなどの操作を、本発明端末ホルダーＥＨに端末ＴＣをセットしたままで行えるという格別の効果が得られる。
【００３０】
また、本発明端末ホルダーＥＨでは箱状本体１ａを主体とするベースブロック１に端末ＴＣの保持する前記ベース板２と表面板４を取り付けるようにしたから、薄いタブレット端末ＴＣの側面が壁面Ｗから浮いた状態で保持されることとなり、端末側面の操作部が操作しやすい利点もある。
【００３１】
さらには、使用するタブレット型端末ＴＣの外形の大きさがメーカー等によって微妙に異なる場合であっても、使用するスペーサ３を選択することによって対応できる利点もある。
【符号の説明】
【００３２】
ＥＨ  本発明端末ホルダー
ＴＣタブレット型端末
１ベースブロック
１ａ箱状本体
１ｂ、１ｃ側壁
１ｄ底壁
１１ｂ、１１ｃ翼状片
１１ｄコード穴
１２ｄコード挟持部
１３ｂ、１３ｃコード通し穴
１３ｄビス穴
２ベース板
２ａ板状体
２ｂ角穴
２ｃビス穴
２ｄ厚さ調整材兼緩衝材
２ｅスリット
２ｆスペーサ結合用のピン
２ｇビス穴
３スペーサ
３ａブロック体
３ｂ、３ｃピン穴
３ｄビス貫通穴
３ｅ凹陥部
４表面板
４ａ板状本体
４ｂ画面用角穴
４ｃビス穴
４ｄ操作用小孔
【図１】
2015169759.tif 000003
【図２】
2015169759.tif 000004
【図３】
2015169759.tif 000005
【図４】
2015169759.tif 000006
【図５】
2015169759.tif 000007
【図６】
2015169759.tif 000008
【図７】
2015169759.tif 000009
【図８】
2015169759.tif 000010
【図９】
2015169759.tif 000011